(57)【要約】【課題】入力音声信号による発光色の変化をより顕著にする。【解決手段】入力音声信号のレベル変化点を検出し、この検出出力に基づいてカラー発光部の発光を制御する。この場合、常には、カラー発光部の発光色を時間に従って定常的に変化させていく。レベル変化点が検出されるとき、カラー発光部の発光色を、このレベル変化点における発光色に対して予め決められている対の発光色、例えば補色関係にある発光色あるいはその近傍の発光色に遷移させ、その後その遷移後の発光色から再び定常的に変化させていく。【選択図】図４
2013206639.tif 000002
【特許請求の範囲】
【請求項１】
カラー発光部と、
入力音声信号のレベル変化点を検出する検出部と、
上記検出部の検出出力に基づいて上記カラー発光部の発光を制御する制御部とを備え、
上記制御部は、
常には、上記カラー発光部の発光色を時間に従って定常的に変化させ、
上記検出部でレベル変化点が検出されるとき、上記カラー発光部の発光色を、該レベル変化点における発光色に対して予め決められている対の発光色に遷移させる
発光装置。
【請求項２】
上記レベル変化点における発光色を第１の発光色とし、上記対の発光色を第２の発光色とするとき、上記第２の発光色は上記第１の発光色と補色関係にある発光色あるいはその近傍の発光色である
請求項１に記載の発光装置。
【請求項３】
上記検出部は、
上記入力音声信号を閾値と比較し、上記入力音声信号のレベルが上記閾値を通過した立ち上がり若しくは立ち下がりのエッジを上記レベル変化点とする
請求項１に記載の発光装置。
【請求項４】
上記入力音声信号から低域成分を抽出するフィルタ部をさらに備え、
上記検出部は、上記フィルタ部で抽出された低域成分に基づいて上記レベル変化点を検出する
請求項１に記載の発光装置。
【請求項５】
入力された左音声信号および右音声信号を合成する合成部をさらに備え、
上記検出部は、上記合成部で合成された音声信号を上記入力音声信号として上記レベル変化点を検出する
請求項１に記載の発光装置。
【請求項６】
上記制御部は、
上記カラー発光部の発光色の遷移を行った後の一定時間は、上記検出部におけるレベル変化点の検出を無視する
請求項１に記載の発光装置。
【請求項７】
入力音声信号のレベル変化点を検出する検出ステップと、
カラー発光部の発光を制御する制御ステップとを備え、
上記制御ステップでは、
常には、上記カラー発光部の発光色を時間に従って定常的に変化させ、
上記検出ステップでレベル変化点が検出されるとき、上記カラー発光部の発光色を、該レベル変化点における発光色に対して予め決められている対の発光色に遷移させる
発光制御方法。
【請求項８】
入力音声信号のレベル変化点を検出する検出ステップと、
カラー発光部の発光を制御する制御ステップとを備え、
上記制御ステップでは、
常には、上記カラー発光部の発光色を時間に従って定常的に変化させ、
上記検出ステップでレベル変化点が検出されるとき、上記カラー発光部の発光色を、該レベル変化点における発光色に対して予め決められている対の発光色に遷移させる
発光制御方法をコンピュータに実行させるためのプログラム。
【請求項９】
スピーカのコーンを照射するカラー発光部と、
上記スピーカを駆動する音声信号のレベル変化点を検出する検出部と、
上記カラー発光部の発光を制御する制御部とを備え、
上記制御部は、
常には、上記カラー発光部の発光色を時間に従って定常的に変化させ、
上記検出部でレベル変化点が検出されるとき、上記カラー発光部の発光色を、該レベル変化点における発光色に対して予め決められている対の発光色に遷移させる
スピーカ装置。
【発明の詳細な説明】
【技術分野】
【０００１】
本技術は、発光装置、発光制御方法、プログラムおよびスピーカ装置に関し、特に、ＲＧＢ発光を商品エンターテインメントとして活用し得る発光装置等に関する。
【背景技術】
【０００２】
従来、入力音声信号の変化に応じて赤（Ｒ）、緑（Ｇ）、青（Ｂ）の光り方を変化させる技術が提案されている（例えば、特許文献１参照）。
【先行技術文献】
【特許文献】
【０００３】
【特許文献１】特開２０１１−１８１４８３号公報
【発明の概要】
【発明が解決しようとする課題】
【０００４】
ベース色が定常的に変化しているＲＧＢの発光パターンにおいて、入力音声信号に連動して、ＲＧＢの発光色を、ある固定の発光色に変化させることが考えられる。その場合、入力音声信号に連動して変化した固定の発光色が、変化前の発光色と近似した発光色となり、その変化が分かりにくくなってしまうことがある。このように入力音声信号による発光色の変化が分かりにくくなってしまうと、入力音声信号と発光色の変化の一体感がなくなり、このＲＧＢ発光をエンターテインメントとして活用している商品の場合、商品力低下の要因となる。
【０００５】
本技術の目的は、入力音声信号による発光色の変化をより顕著にすることにある。
【課題を解決するための手段】
【０００６】
本技術の概念は、
カラー発光部と、
入力音声信号のレベル変化点を検出する検出部と、
上記検出部の検出出力に基づいて上記カラー発光部の発光を制御する制御部とを備え、  上記制御部は、
常には、上記カラー発光部の発光色を時間に従って定常的に変化させ、
上記検出部でレベル変化点が検出されるとき、上記カラー発光部の発光色を、該レベル変化点における発光色に対して予め決められている対の発光色に遷移させる
発光装置にある。
【０００７】
本技術においては、カラー発光部が備えられる。このカラー発光部は、例えば、赤（Ｒ）、緑（Ｇ）、青（Ｂ）のＬＥＤ（Light Emitting Diode）等により構成される。検出部により、入力音声信号のレベル変化点が検出される。例えば、入力された左音声信号および右音声信号を合成する合成部をさらに備え、検出部は、合成部で合成された音声信号を入力音声信号としてレベル変化点を検出する、ようにされてもよい。
【０００８】
また、例えば、検出部は、入力音声信号を閾値と比較し、この入力音声信号のレベルが閾値を通過した立ち上がり若しくは立ち下がりのエッジをレベル変化点とする、ようにされてもよい。また、例えば、入力音声信号から低域成分を抽出するフィルタ部をさらに備え、検出部は、フィルタ部で抽出された低域成分に基づいてレベル変化点を検出する、ようにされてもよい。このように、立ち上がり若しくは立ち下がりのエッジをレベル変化点とすること、あるいは低域成分に基づいてレベル変化点を検出することで、短時間で連続してレベル変化点が検出されることを抑制できる。
【０００９】
制御部により、検出部の検出出力に基づいてカラー発光部の発光が制御される。カラー発光部の発光色は、常には、時間に従って定常的に変化させられる。検出部でレベル変化点が検出されるとき、カラー発光部の発光色は、そのレベル変化点における発光色に対して予め決められている対の発光色に遷移させられる。例えば、レベル変化点における発光色が第１の発光色とされ、それと対の発光色が第２の発光色とされるとき、第２の発光色は、第１の発光色との違いが比較的大きな発光色とされる。例えば、第２の発光色は、第１の発光色と補色関係にある発光色あるいはその近傍の発光色とされる。
【００１０】
このように本技術においては、入力音声信号のレベル変化点が検出されるとき、カラー発光部の発光色は、固定の発光色ではなく、このレベル変化点における発光色に対して予め決められている対の発光色、例えば補色関係にある発光色あるいはその近傍の発光色に遷移させられる。そのため、入力音声信号による発光色の変化をより顕著にすることができ、入力音声信号と発光色の変化の一体感を高めることができ、ＲＧＢ発光をエンターテインメントとして活用している商品の商品力を高めることが可能となる。
【００１１】
なお、本技術において、例えば、制御部は、カラー発光部の発光色の遷移を行った後の一定時間は、検出部におけるレベル変化点の検出を無視する、ようにされてもよい。これにより、短時間に発光色遷移を繰り返すチャタリング状態の発生を回避することが可能となる。
【発明の効果】
【００１２】
本技術によれば、入力音声信号による発光色の変化をより顕著にできる。
【図面の簡単な説明】
【００１３】
【図１】実施の形態としてのスピーカ装置の概観を概略的に示す斜視図である。
【図２】実施の形態としてのスピーカ装置の回路構成例を示すブロック図である。
【図３】マルチチップＬＥＤにおける発光色の定常的変化の説明に供する色相環の一例を示す図である。
【図４】マルチチップＬＥＤの発光を制御する発光制御部を説明するための図である。
【図５】マルチチップＬＥＤの発光を制御する発光制御部の制御処理の一例を示すフローチャートである。
【発明を実施するための形態】
【００１４】
以下、発明を実施するための形態（以下、「実施の形態」とする）について説明する。なお、説明を以下の順序で行う。
１．実施の形態
２．変形例
【００１５】
＜１．実施の形態＞
［スピーカ装置の構成例］
図１は、実施の形態としてのスピーカ装置１００の概観を概略的に示している。このスピーカ装置１００は、直方体状の筐体１０１の前面側に左側スピーカ１０２Ｌおよび右側スピーカ１０２Ｒが配設されている。各スピーカ１０２Ｌ，１０２Ｒの前面側にはスピーカ保護のための円形のネット部材１０３Ｌ，１０３Ｒが装着されている。
【００１６】
ネット部材１０３Ｌ，１０３Ｒの中心部には、Ｒ、Ｇ、Ｂの各ＬＥＤが搭載されたマルチチップＬＥＤ１０４Ｌ，１０４Ｒが取り付けられている。このマルチチップＬＥＤ１０４Ｌ，１０４Ｒは、それぞれ、カラー発光部を構成している。マルチチップＬＥＤ１０４Ｌに搭載されているＲ、Ｇ、Ｂの各ＬＥＤは左側スピーカ１０２Ｌのコーン面を照射するようになされている。また、マルチチップＬＥＤ１０４Ｒに搭載されているＲ、Ｇ、Ｂの各ＬＥＤは右側スピーカ１０２Ｒのコーン面を照射するようになされている。
【００１７】
また、筐体１０１の前面右側には、ポータブルミュージックプレーヤ、あるいはＵＳＢメモリなどのリムーバブルメモリの装着部１０５が設けられている。なお、オーディオデータが入力されるオーディオ入力端子は、筐体１０１の背面側に設けられている。
【００１８】
図２は、スピーカ装置１００の回路構成例を示している。スピーカ装置１００は、オーディオセレクタ１１１と、ＤＳＰ（Digital Signal Processor）１１２と、ローパスフィルタ（ＬＰＦ）１１３と、ＡＤコンバータ（ＡＤＣ）１１４と、発光制御部１１５を有している。
【００１９】
オーディオセレクタ１１１には、オーディオ入力端子１０６が接続される。また、このオーディオセレクタ１１１には、上述の装着部１０５に装着されるポータブルミュージックプレーヤ１２１やリムーバブルメモリ１２２が接続される。オーディオセレクタ１１１は、ポータブルミュージックプレーヤ１２１、リムーバブルメモリ１２２またはオーディオ入力端子１０６からの左音声データＳＬおよび右音声データＳＲを、例えばユーザの選択操作に基づいて、選択的に出力する。
【００２０】
ＤＳＰ１１２は、オーディオセレクタ１１１から出力された左音声データＳＬおよび右音声データＳＲに対して、例えば、ユーザ操作に基づいて、音質および音量の調整処理、さらにはデジタル信号からアナログ信号への変換処理を行って、それぞれ、左側スピーカ１０２Ｌおよび右側スピーカ１０２Ｒに供給する。また、ＤＳＰ１１２は、オーディオセレクタ１１１から出力された左音声データＳＬおよび右音声データＳＲを合成した後にデジタル信号からアナログ信号に変換し、アナログ合成信号（ＳＬ＋ＳＲ）をローパスフィルタ１１３に供給する。
【００２１】
ローパスフィルタ１１３は、アナログ合成信号（ＳＬ＋ＳＲ）から低域成分Ｓ-LPFを抽出する。ＡＤコンバータ１１４は、低域成分Ｓ-LPFをアナログ信号からデジタル信号に変換して、発光制御部１１５に供給する。発光制御部１１５は、低域成分Ｓ-LPFに基づいて、マルチチップＬＥＤ１０２Ｌ，１０２Ｒの発光を制御する。この発光制御部１１５は、ＣＰＵ、ＲＯＭ、ＲＡＭ等を備えており、ＣＰＵがＲＯＭに格納されたプログラムに基づいて制御処理を実行する。
【００２２】
発光制御部１１５は、常には、マルチチップＬＥＤ１０２Ｌ，１０２Ｒの発光色を時間に従って定常的に変化させる。この場合、発光制御部１１５は、例えば、図３に示すような色相環における各色相の発光が一定の周期をもって繰り返し行われるように、マルチチップＬＥＤ１０２Ｌ，１０２Ｒの発光を制御する。
【００２３】
また、発光制御部１１５は、入力音声信号（低域成分Ｓ-LPF）のレベル変化点が検出されるとき、マルチチップＬＥＤ１０２Ｌ，１０２Ｒの発光色を、このレベル変化点における発光色に対して予め決められている対の発光色に遷移させる。例えば、レベル変化点における発光色が第１の発光色とされ、それと対の発光色が第２の発光色とされるとき、第２の発光色は、第１の発光色との違いが比較的大きな発光色とされる。この実施の形態においては、第２の発光色は第１の発光色と補色関係にある発光色とされるが、その近傍の発光色とされてもよい。
【００２４】
発光制御部１０５は、図４（ｂ）に示すように、入力音声信号（低域成分Ｓ-LPF）を閾値と比較し、入力音声信号のレベルが閾値を通過した立ち上がりエッジ若しくは立ち下がりエッジ、この実施の形態においては立ち上がりエッジをレベル変化点とする。そして、発光制御部１０５は、図４（ａ）に示すように、レベル変化点において、マルチチップＬＥＤ１０２Ｌ，１０２Ｒの発光色を、このレベル変化点における発光色に対して補色関係にある発光色に遷移させる。そして、発光制御部１０５は、遷移後は、その発光色からマルチチップＬＥＤ１０２Ｌ，１０２Ｒの発光色を時間に従って定常的に変化させることを継続する。これにより、入力音声信号による発光色の変化をより顕著に見せることができる。
【００２５】
例えば、レベル変化点Ｔａでは、マルチチップＬＥＤ１０２Ｌ，１０２ＲのＲ、Ｇ、Ｂの各ＬＥＤを駆動するＲ、Ｇ、Ｂの色データが（０，０，２５５）であるとき、このＲ、Ｇ、Ｂの色データを（２５５，２５５，０）に変化させる。また、レベル変化点Ｔｂでは、マルチチップＬＥＤ１０２Ｌ，１０２ＲのＲ、Ｇ、Ｂの各ＬＥＤを駆動するＲ、Ｇ、Ｂの色データが（１７７，０，２５５）であるとき、このＲ、Ｇ、Ｂの色データを（７２，２５５，０）に変化させる。また、例えば、レベル変化点Ｔｃでは、マルチチップＬＥＤ１０２Ｌ，１０２ＲのＲ、Ｇ、Ｂの各ＬＥＤを駆動するＲ、Ｇ、Ｂの色データが（１４４，２５５，０）であるとき、このＲ、Ｇ、Ｂの色データを（１０５，０，２５５）に変化させる。
【００２６】
図５のフローチャートは、発光制御部１１５の制御処理を示している。発光制御部１１５は、この図５のフローチャートの制御処理を、一定の周期を以て、繰り返し実行する。発光制御部１１５は、ステップＳＴ１において、処理を開始し、その後に、ステップＳＴ２の処理に移る。このステップＳＴ２において、発光制御部１１５は、入力音声信号を閾値と比較する。
【００２７】
次に、発光制御部１１５は、ステップＳＴ３において、レベル変化点（立ち上がりエッジ）であるか否かを判断する。レベル変化点であると判断するとき、発光制御部１１５は、ステップＳＴ４において、前回の補色遷移から２００ｍｓ以上経過したか否かを判断する。２００ｍｓ以上経過していると判断するとき、発光制御部１１５は、ステップＳＴ５において、マルチチップＬＥＤ１０２Ｌ，１０２Ｒの発光色を補色に遷移する。
【００２８】
発光制御部１１５は、ステップＳＴ５の処理の後、ステップＳＴ６において、制御処理を終了する。また、ステップＳＴ３でレベル変化点でないと判断するとき、あるいはステップＳＴ４で２００ｍｓ以上経過していないと判断するとき、発光制御部１１５は、直ちに、ステップＳＴ６において、制御処理を終了する。
【００２９】
図２に示すスピーカ装置１００の動作を説明する。オーディオセレクタ１１１では、例えばユーザの選択操作に基づいて、ポータブルミュージックプレーヤ１２１、リムーバブルメモリ１２２またはオーディオ入力端子１０６からの左音声データＳＬおよび右音声データＳＲが選択的に取り出される。このオーディオセレクタ１１１で取り出された左音声データＳＬおよび右音声データＳＲは、ＤＳＰ１１２に供給される。
【００３０】
ＤＳＰ１１２では、オーディオセレクタ１１１から出力された左音声データＳＬおよび右音声データＳＲに対して、例えば、ユーザ操作に基づいて、音質および音量の調整処理が行われ、さらにデジタル信号からアナログ信号への変換処理が行われる。そして、ＤＳＰ１１２から出力されるアナログの左音声信号および右音声信号は、それぞれ、左側スピーカ１０２Ｌおよび右側スピーカ１０２Ｒに供給される。これにより、左側スピーカ１０２Ｌから左音声が出力され、右側スピーカ１０２Ｒから右音声が出力される。
【００３１】
また、ＤＳＰ１１２では、オーディオセレクタ１１１から出力された左音声データＳＬおよび右音声データＳＲが合成され、さらにデジタル信号からアナログ信号に変換され、アナログ合成信号（ＳＬ＋ＳＲ）が出力される。このアナログ合成信号（ＳＬ＋ＳＲ）は、ローパスフィルタ１１３に供給される。このローパスフィルタ１１３では、このアナログ合成信号（ＳＬ＋ＳＲ）から低域成分Ｓ-LPFが抽出される。この低域成分Ｓ-LPFは、ＡＤコンバータ１１４でアナログ信号からデジタル信号に変換され、発光制御部１１５に供給される。
【００３２】
発光制御部１１５では、入力音声信号（低域成分Ｓ-LPF）に基づいて、マルチチップＬＥＤ１０２Ｌ，１０２Ｒの発光が制御される。この場合、マルチチップＬＥＤ１０２Ｌ，１０２Ｒの発光色は、常には、時間に従って定常的に変化するようされる。そして、入力音声信号（低域成分Ｓ-LPF）のレベル変化点が検出されるとき、マルチチップＬＥＤ１０２Ｌ，１０２Ｒの発光色は、このレベル変化点における発光色に対して予め決められている対の発光色、例えば補色関係にある発光色に遷移し、その遷移した発光色から定常的に変化することを継続するようにされる。
【００３３】
上述したように、図１、図２に示すスピーカ装置１００においては、入力音声信号のレベル変化点が検出されるとき、マルチチップＬＥＤ１０２Ｌ，１０２Ｒの発光色は、固定の発光色ではなく、このレベル変化点における発光色に対して予め決められている対の発光色、例えば発光色と補色関係にある発光色あるいはその近傍の発光色に遷移するようにされる。したがって、入力音声信号による発光色の変化をより顕著にすることができ、入力音声信号と発光色の変化の一体感を高めることができ、ＲＧＢ発光をエンターテインメントとして活用しているスピーカ装置１００の商品力を向上できる。
【００３４】
また、図１、図２に示すスピーカ装置１００においては、ローパスフィルタ１１３で抽出される低域成分Ｓ-LPFが発光制御部１１５に供給され、この低域成分Ｓ-LPFに基づいてレベル変化点が検出される。また、発光制御部１１５では、この低域成分Ｓ-LPFが閾値と比較され、低域成分Ｓ-LPFのレベルが閾値を通過した立ち上がりエッジ若しくは立ち下がりエッジのいずれかがレベル変化点とされる。したがって、短時間で連続してレベル変化点が検出されることを抑制できる。
【００３５】
また、図１、図２に示すスピーカ装置１００においては、左音声データＳＬおよび右音声データＳＲを合成して得られたアナログ合成信号（ＳＬ＋ＳＲ）に基づいて、発光制御部１１５がマルチチップＬＥＤ１０２Ｌ，１０２Ｒの発光を制御するものである。したがって、左音声データＳＬと右音声データＳＲのレベルが大きく異なる期間であっても、マルチチップＬＥＤ１０２Ｌ，１０２Ｒの発光を同様に制御することができる。なお、合成信号ではなく、左音声データＳＬあるいは右音声データＳＲのみを用いて制御を行うことも考えられる。
【００３６】
また、図１、図２に示すスピーカ装置１００においては、発光制御部１１５は、入力音声信号（低域成分Ｓ-LPF）のレベル変化点を検出しても、前回の補色遷移から一定時間（２００ｍｓ）以上が経過していないとき、その検出を無視するようにされる。つまり、このとき、補色関係にある発光色に遷移する制御を行わないようにされる。したがって、短時間に発光色遷移を繰り返すチャタリング状態の発生を回避できる。
【００３７】
＜２．変形例＞
なお、上述実施の形態においては、本技術による発光装置をスピーカ装置１００に適用したものを示した。本技術は、スピーカ装置１００への適用に限定されるものではなく、その他の商品（電子機器に限らない）のエンターテインメントとして活用できる。また、商品への活用だけでなく、発光装置のみとしても活用できることは勿論である。また、上述実施の形態においては、カラー発光部がマルチチップＬＥＤ１０２Ｌ，１０２Ｒで構成されるものを示したが、その他のカラー発光素子で構成するものにも、本技術を適用できる。
【００３８】
また、本技術は、以下のような構成をとることもできる。
（１）カラー発光部と、
入力音声信号のレベル変化点を検出する検出部と、
上記検出部の検出出力に基づいて上記カラー発光部の発光を制御する制御部とを備え、
上記制御部は、
常には、上記カラー発光部の発光色を時間に従って定常的に変化させ、
上記検出部でレベル変化点が検出されるとき、上記カラー発光部の発光色を、該レベル変化点における発光色に対して予め決められている対の発光色に遷移させる
発光装置。
（２）上記レベル変化点における発光色を第１の発光色とし、上記対の発光色を第２の発光色とするとき、上記第２の発光色は上記第１の発光色と補色関係にある発光色あるいはその近傍の発光色である
前記（１）に記載の発光装置。
（３）上記検出部は、
上記入力音声信号を閾値と比較し、上記入力音声信号のレベルが上記閾値を通過した立ち上がり若しくは立ち下がりのエッジを上記レベル変化点とする
前記（１）または（２）に記載の発光装置。
（４）上記入力音声信号から低域成分を抽出するフィルタ部をさらに備え、
上記検出部は、上記フィルタ部で抽出された低域成分に基づいて上記レベル変化点を検出する
前記（１）から（３）のいずれかに記載の発光装置。
（５）入力された左音声信号および右音声信号を合成する合成部をさらに備え、
上記検出部は、上記合成部で合成された音声信号を上記入力音声信号として上記レベル変化点を検出する
前記（１）から（４）のいずれかに記載の発光装置。
（６）上記制御部は、
上記カラー発光部の発光色の遷移を行った後の一定時間は、上記検出部におけるレベル変化点の検出を無視する
前記（１）から（５）のいずれかに記載の発光装置。
（７）入力音声信号のレベル変化点を検出する検出ステップと、
カラー発光部の発光を制御する制御ステップとを備え、
上記制御ステップでは、
常には、上記カラー発光部の発光色を時間に従って定常的に変化させ、
上記検出ステップでレベル変化点が検出されるとき、上記カラー発光部の発光色を、該レベル変化点における発光色に対して予め決められている対の発光色に遷移させる
発光制御方法。
（８）入力音声信号のレベル変化点を検出する検出ステップと、
カラー発光部の発光を制御する制御ステップとを備え、
上記制御ステップでは、
常には、上記カラー発光部の発光色を時間に従って定常的に変化させ、
上記検出ステップでレベル変化点が検出されるとき、上記カラー発光部の発光色を、該レベル変化点における発光色に対して予め決められている対の発光色に遷移させる
発光制御方法をコンピュータに実行させるためのプログラム。
（９）スピーカのコーンを照射するカラー発光部と、
上記スピーカを駆動する音声信号のレベル変化点を検出する検出部と、
上記カラー発光部の発光を制御する制御部とを備え、
上記制御部は、
上記カラー発光部の発光色を時間に従って定常的に変化させ、
常には、上記検出部でレベル変化点が検出されるとき、上記カラー発光部の発光色を、該レベル変化点における発光色に対して予め決められている対の発光色に遷移させる
スピーカ装置。
【符号の説明】
【００３９】
１００・・・スピーカ装置
１０１・・・筐体
１０２Ｌ・・・左側スピーカ
１０２Ｒ・・・右側スピーカ
１０３Ｌ，１０３Ｒ・・・ネット部材
１０４Ｌ，１０４Ｒ・・・マルチチップＬＥＤ
１０５・・・装着部
１０６・・・オーディオ入力端子
１１１・・・オーディオセレクタ
１１２・・・ＤＳＰ
１１３・・・ローパスフィルタ
１１４・・・ＡＤコンバータ
１１５・・・発光制御部
１２１・・・ポータブルミュージックプレーヤ
１２２・・・リムーバブルメモリ
【図１】
2013206639.tif 000003
【図２】
2013206639.tif 000004
【図５】
2013206639.tif 000005
【図３】
2013206639.tif 000006
【図４】
2013206639.tif 000007